(57)【特許請求の範囲】
【請求項１】
帯状の金属製薄板からなるフープと、帯状の軟質材からなるフィラーとを重ねて渦巻状に形成されたガスケット本体と、このガスケット本体の外周を囲う外輪とを備える渦巻形ガスケットであって、
前記外輪の内周部が、その一側面側及び他側面側に、径方向内方に突出する第１の突出部及び前記第１の突出部よりも径方向内方への突出長さが長い第２の突出部をそれぞれ有する非対称な断面形状に形成され、
前記外輪は、複数箇所で前記第１の突出部の部分をカシメることにより、径方向内方側に突出変形させたカシメ部を形成しているとともに、前記第２の突出部と前記カシメ部とにより、前記ガスケット本体を保持していることを特徴とする渦巻形ガスケット。
【請求項２】
前記ガスケット本体が、その外周から径方向外方に隙間を形成した状態で前記第２の突出部と前記カシメ部とにより保持されていることを特徴とする請求項１記載の渦巻形ガスケット。
【請求項３】
前記外輪の内周部には、前記第１及び第２の突出部との間で環状の凹部が形成されていることを特徴とする請求項１または２記載の渦巻形ガスケット。
【請求項４】
前記ガスケット本体における内周側のフィラーを、外周側のフィラーよりも摩擦係数の大きいフィラー材で形成していることを特徴とする請求項１〜３のいずれか記載の渦巻形ガスケット。
【請求項５】
前記内周側のフィラーを摩擦係数０．３以上の無機質フィラー材で形成し、前記外周側のフィラーを前記無機質フィラー材よりも小さい摩擦係数の膨張黒鉛またはＰＴＦＥにより形成していることを特徴とする請求項４記載の渦巻形ガスケット。
【請求項６】
前記第２の突出部を補助的にカシメたことを特徴とする請求項１〜５のいずれか記載の渦巻形ガスケット。
【発明の詳細な説明】
【０００１】
【発明の属する技術分野】
本発明は、気体や液体等の流体の流路を構成する配管や、その流路上に配置される容器あるいは機器等の接続部に設けられたフランジ端面間に装着され、そのフランジ端面間を封止するための渦巻形ガスケットに関する。
【０００２】
【従来の技術】
図５（ａ）は従来の渦巻形ガスケットの構成を示す平面図であり、（ｂ）は（ａ）のＸ−Ｘ線における断面図である。図５（ａ）及び（ｂ）において、従来の渦巻形ガスケット５０は、帯状の金属製薄板からなるフープ５１と、シール性を有する帯状の軟質材からなるフィラー５２とを重ね合わせ、渦巻状に巻き付けて形成されたガスケット本体５３を備えており、このガスケット本体５３の内周側及び外周側に、補強リング部材としての内輪５４及び外輪５５をそれぞれ設けている。
【０００３】
上記フープ５１は、図５（ｂ）に示すように、例えば径方向外方に膨出した断面略くの字状に成形されたものが用いられており、ステンレス薄鋼板等のフープ材により構成されている。フィラー５２は、上記フープ５１の成形形状に沿うように変形されて、フープ５１の各層間に巻き込まれた構成となっている。また、フィラー５２には、膨張黒鉛、ＰＴＦＥ（ポリテトラフルオロエチレン）、無機紙等のフィラー材が用いられており、とりわけ渦巻形ガスケット５０が耐熱用途または耐食性用途に供される場合には、上記膨張黒鉛あるいはＰＴＦＥが使用されている。
【０００４】
上記内輪５４は、ガスケット本体５３に必要に応じて取り付けられるものであり、例えばステンレス鋼板により構成されている。また、この内輪５４の外径はガスケット本体５３の最小内径よりも大きく形成されており、ガスケット本体５３の内周面５３ａ内に挿嵌されることでガスケット本体５３をその内周側から支持している。この内輪５４は、渦巻形ガスケット５０がフランジ端面間に装着されて所定の締付圧で締付けられた時での径方向内方へのガスケット本体５３の変形を抑えて、当該ガスケット本体５３の内周側の層が円形状から中心側に反転して局部的に折れ曲がるような座屈変形が生じるのを防止する。
【０００５】
上記外輪５５は、炭素鋼板やステンレス鋼板等により構成されたものであり、図５（ｂ）に示すように、断面略Ｖ字状の溝５５ａが内周部に形成されている。外輪５５は、上記溝５５ａにガスケット本体５３の外周面５３ｂが密接された状態でガスケット本体５３と結合されている。詳細にいえば、外輪５５では、通常、最小内径がガスケット本体５３の最大外径よりも小さく形成されており、作業者が木槌等でガスケット本体５３を外輪５５の上部に配置した状態から適宜たたいて変形させたり、ガスケット本体５３に大きな力を作用させて歪ませて、そのガスケット本体５３の外周面５３ｂを上記溝５５ａに添わせて嵌込むことにより、ガスケット本体５３に外輪５５を取り付けている。外輪５５は、ガスケット本体５３を外周側から支持して、上記締付けられた時での径方向外方へのガスケット本体５３の変形を抑えるとともに、装着先のフランジ端面間でガスケット本体５３を保持する。
【０００６】
【発明が解決しようとする課題】
しかしながら、上記従来の渦巻形ガスケット５０では、手作業でガスケット本体５３の外周面５３ｂを外輪５５の溝５５ａに添わせて嵌込むことにより、ガスケット本体５３の外輪５５への取付作業を行っていたので、当該渦巻形ガスケット５０の生産性が低く、しかも製品品質が低下するという問題があった。特に、ガスケット本体５３の外径が小さくなるにつれて、そのガスケット本体５３の外周面５３ｂを溝５５ａに入れにくくなり、上記の問題が顕著に発生していた。
具体的には、この取付作業は熟練を必要とする高等な作業であり、不慣れな作業者が行った場合には、その取付作業に時間を要したり、ガスケット本体５３と外輪５５との同心性を確保することができずにフランジ端面間に装着された時に良好な装着状態を得ることができなかったり、ガスケット本体５３が外輪５５から外れたりした。また、木槌などによってガスケット本体５３をたたいて変形させたり歪ませていたので、渦巻形ガスケット５０の外観品質が低下したり、フランジ端面間に装着した時でのガスケット本体５３の締付け面圧が上記変形や歪みによって一定なものとならずに、そのガスケット本体５３のシール性が低下することがあった。
【０００７】
また、上記膨張黒鉛あるいはＰＴＦＥを用いてフィラー５２を構成したものでは、内輪５４を省略することができずに、渦巻形ガスケット５０の生産コストが高くなるという問題があった。これは、上記膨張黒鉛あるいはＰＴＦＥの摩擦係数が小さいものであるため、フランジ端面間に装着した時、フランジ端面とガスケット本体５３の表面との間に作用する摩擦力が小さくなり、上記ガスケット本体５３の径方向内方への変形を抑制する抑制力も小さくなって上記座屈変形が生じやすい状態となるからである。それゆえ、上記のような摩擦係数の小さいフィラー材でフィラー５２を構成した場合、内輪５４が必要不可欠なものとなって渦巻形ガスケット５０のコストアップを招いた。
【０００８】
上記のような従来の問題点に鑑み、本発明は、ガスケット本体の外径に関わらずガスケット本体の外輪への取付作業を簡単なものとして生産性を向上することができるとともに、製品品質を向上することができるコスト安価な渦巻形ガスケットを提供することを目的とする。
【０００９】
【課題を解決するための手段】
本発明の渦巻形ガスケットは、帯状の金属製薄板からなるフープと、帯状の軟質材からなるフィラーとを重ねて渦巻状に形成されたガスケット本体と、このガスケット本体の外周を囲う外輪とを備える渦巻形ガスケットであって、
前記外輪の内周部が、その一側面側及び他側面側に、径方向内方に突出する第１の突出部及び前記第１の突出部よりも径方向内方への突出長さが長い第２の突出部をそれぞれ有する非対称な断面形状に形成され、
前記外輪は、複数箇所で前記第１の突出部の部分をカシメることにより、径方向内方側に突出変形させたカシメ部を形成しているとともに、前記第２の突出部と前記カシメ部とにより、前記ガスケット本体を保持していることを特徴とするものである（請求項１）。
【００１０】
上記のように構成された渦巻形ガスケットでは、径方向内方への突出長さの短い第１の突出部を外輪の内周部の一側面側に形成しているので、この一側面側から内周部内へのガスケット本体の挿入作業を容易に行うことができるとともに、上記カシメ部を形成することによりガスケット本体を保持しているので、ガスケット本体の外径に関わらず当該ガスケット本体の外輪への取付作業を簡単なものとすることができる。
【００１１】
また、上記渦巻形ガスケット（請求項１）において、前記ガスケット本体が、その外周から径方向外方に隙間を形成した状態で前記第２の突出部と前記カシメ部とにより保持されていることが好ましい（請求項２）。
この場合、上記ガスケット本体は径方向外方に隙間を形成した状態で保持されているので、装着先のフランジ端面間で当該渦巻形ガスケットを締付けた時に、ガスケット本体の外周側が径方向外方に移動する外方変形を許容することができ、よってそのガスケット本体の内周側が径方向内方に移動する内方変形を小さくすることができる。
【００１２】
また、上記渦巻形ガスケット（請求項１または２）において、前記外輪の内周部には、前記第１及び第２の突出部との間で環状の凹部が形成されていることが好ましい（請求項３）。
この場合、上記環状の凹部がガスケット本体の外周と外輪の内周部との間で、そのガスケット本体の外周外方の全周にわたる隙間を形成するので、ガスケット本体の外周側での上記外方変形をさらに容易に許容することができ、よって内周側での上記内方変形をより小さくすることができる。
【００１３】
また、上記渦巻形ガスケット（請求項１〜３のいずれか）において、前記ガスケット本体における内周側のフィラーを、外周側のフィラーよりも摩擦係数の大きいフィラー材で形成してもよい（請求項４）。
この場合、摩擦係数の大きなフィラー材でガスケット本体の内周側のフィラーが形成されているので、そのガスケット本体の内周側でのフランジ端面との間に生じる摩擦力を大きなものとして、その内周側での上記内方変形をさらに抑制することができる。
【００１４】
また、上記渦巻形ガスケット（請求項４）において、前記内周側のフィラーを摩擦係数０．３以上の無機質フィラー材で形成し、前記外周側のフィラーを前記無機質フィラー材よりも小さい摩擦係数の膨張黒鉛またはＰＴＦＥにより形成することが好ましい（請求項５）。
この場合、上記の膨張黒鉛またはＰＴＦＥにより外周側のフィラーを形成することにより、上記ガスケット本体の外周側をフランジ端面によくなじんだ状態で変形させることができるとともに、内周側のフィラーを上記無機質フィラー材により形成しているので、その内周側での上記内方変形をさらに抑制することができる。
【００１５】
また、上記渦巻形ガスケット（請求項１〜５のいずれか）において、前記第２の突出部を補助的にカシメてもよい（請求項６）。
この場合、上記カシメ部と補助的にカシメた第２の突出部との間でガスケット本体をより強固に挟持することができる。
【００１６】
【発明の実施の形態】
以下、本発明の渦巻形ガスケットの好ましい実施形態について、図面を参照しながら説明する。
図１は、本発明の一実施形態である渦巻形ガスケットの構成を示す構造図であり、（ａ）はその平面図であり、（ｂ）は（ａ）のＰ−Ｐ線における拡大断面図であり、（ｃ）は（ａ）のＱ−Ｑ線における拡大断面図である。図において、本実施形態の渦巻形ガスケット１は、ガスケット本体２、及びガスケット本体２の外周を囲う補強リング部材としての外輪３を備えている。
【００１７】
ガスケット本体２は、帯状の金属製薄板からなるフープ４と、そのフープ４と同一幅の軟質材からなる帯状のフィラー５とを重ね合わせ、渦巻状に巻装して形成されている。さらに詳細には、ガスケット本体２の内周側及び外周側において、図１（ｃ）に示すように、フィラー５を介装せずにフープ４のみが巻かれた２〜３巻き程度の空巻き部分４ａ，４ｂがそれぞれ設けられており、この空巻き部分４ａ，４ｂの各端部を隣り合う層の部分にスポット溶接等で固着することにより、ガスケット本体２は全体として所定の内外径を有するリング状に形成されている。
【００１８】
上記フープ４は、例えば幅方向（図１（ｂ）における上下方向）の中央領域が径方向外方に膨出した断面略くの字状に成形されたものが用いられており、ステンレス薄鋼板等のフープ材により構成されている。
上記フィラー５は、シール性を備えた緩衝材であるフィラー材により構成されたものであり、上記空巻き部分４ａ，４ｂの間でフープ４の成形形状に沿うように変形されて、フープ４の各層間に巻き込まれた構成となっている。また、このフィラー５は、例えば摩擦係数の異なる複数のフィラー材を含んでおり、ガスケット本体２における内周側のフィラーを、外周側のフィラーよりも摩擦係数の大きなフィラー材で形成している。
【００１９】
具体的にいえば、フィラー５は、図１（ｂ）に示すように、例えば内側１〜５巻き程度の内側領域Ｉａと、その内側領域Ｉａを除く主領域Ｍａとで、使用するフィラー材を変更したものであり、上記内側領域Ｉａでは例えば０．３以上の摩擦係数を有する無機質フィラー材が用いられ、主領域Ｍａでは摩擦係数がそれぞれ０．１５程度及び０．０４程度である膨張黒鉛またはＰＴＦＥが用いられている。尚、上記０．３以上の摩擦係数を有する無機質フィラー材には、アルミナやシリカ等のセラミックファイバー、あるいはガラスファイバーやステンレスファイバー等の金属のファイバー、またはこれらの粉体を用いた成形体（例えば焼結体や多孔体）、マイカシート等からなるフィラー材などがある。
【００２０】
また、上記摩擦係数は、渦巻形ガスケット１が実際に使用される状態、例えば装着先のフランジ端面間の平面座に配置されて所定の締付圧で締め付けられた状態での各フィラー材の値を想定したものであり、本発明の発明者等は図３（ａ）に示す測定装置を用いて、上記の膨張黒鉛やＰＴＦＥ等の各摩擦係数を求めた。尚、図３（ｂ）及び（ｃ）の各グラフは、膨張黒鉛の摩擦係数を算出した時の測定結果の一例を示している。
詳細にいえば、図３（ａ）において、ステンレス（ＳＵＳ３０４）製のスライド板２１の上下各面に、それぞれ同一種類のフィラー材のみで構成された被測定用ガスケット２２，２２を配置し、これらに、油圧プレス機２３によって上下方向に荷重を負荷して所定の締付荷重Ｆｇで保持する。この状態でサドルモータ２４を作動し、スライド板２１を水平方向に移動させることにより、スライド板２１とガスケット２２とを相対的に摺接させる際に必要なせん断荷重Ｗｇを記録計２５に記録した。そして、これら締付荷重Ｆｇとせん断荷重Ｗｇとを下記（１）式に代入することにより、摩擦係数μを算出した。
μ＝Ｗｇ／（２×Ｆｇ）    …（１）式
【００２１】
また、上記スライド板２１はその表面粗さ（Ｈｍａｘ）が６μｍ程度のものを用い、被測定用ガスケット２２の寸法は内径６９ｍｍ及び外径８９ｍｍとした。また、締付荷重Ｆｇを３０００ｋｇｆに設定し、スライド板２１の移動速度を１７ｍｍ／分に設定した。
図３（ｂ）の曲線２６に示すように、締付荷重Ｆｇを３０００ｋｇｆに保持した状態でスライド板２１の移動を開始すると、せん断荷重Ｗｇは同図（ｃ）の曲線２７に示すように変化して、その最大値が９００ｋｇｆとなった。尚、スライド板２１の移動に伴って、上記曲線２６に示すように、締付荷重Ｆｇもわずかに変化しているが、膨張黒鉛の摩擦係数μの算出では、上記（１）式に、締付荷重Ｆｇ＝３０００ｋｇｆ及びせん断荷重Ｗｇ＝９００ｋｇｆを代入して、０．１５の値を得た。
【００２２】
図１に戻って、上記外輪３は、例えば冷間圧延鋼板やステンレス鋼板等の金属材を用いて構成されたものであり、その厚さをガスケット本体２のものより所定の寸法だけ薄くして形成されている。また、この外輪３の内周部３ａは、図１（ｂ）及び（ｃ）に示すように、軸線方向に対して非対称な断面形状に形成されている。
詳細にいえば、この内周部３ａには、同図（ｃ）に示すように、上記空巻き部分４ｂ、つまりガスケット本体２の外周に対して離間する環状の溝３ｂが設けられており、さらに溝３ｂの表面と当該外輪３の一側面３ｄ及び他側面３ｅとにそれぞれ挟まれ、径方向内方に突出する突出長さが互いに異なる環状の第１及び第２の突出部３ｆ，３ｇが形成されている。上記溝３ｂの最大外径は、予めガスケット本体２の最大外径と略同一若しくは若干小さい寸法に設定されている。また、ここでいう突出長さとは、後述のカシメ部３ｈの形成工程が終了した後の当該カシメ部３ｈ以外の任意の箇所における溝３ｂの最大外径の箇所からの突出寸法をいう。尚、カシメ部３ｈが形成された時、上記第１の突出部３ｆ側の溝３ｂの表面が突出変形又は一部隆起し、これによりガスケット本体２の外周部が外輪３の内径側でその溝３ｂの表面変形部３ｃと接した状態でガスケット本体２は保持される（図１（ｂ）参照）。また、上記表面変形部３ｃが形成されることにより対応する接面箇所からガスケット本体２の径方向内方に力が作用し、ガスケット本体２が若干内径方向へ縮径することにより、ガスケット本体２の外周と溝３ｂとが部分的に又は全面的に互いに離間した状態でガスケット本体２は保持される（図１（ｃ）参照）。
【００２３】
上記第１の突出部３ｆでは、カシメ部３ｈの形成工程前の突出長さが第２の突出部３ｇのものよりも短い寸法に設定されている。この第１の突出部３ｆの突出長さは、ガスケット本体２の外径やフープ４とフィラー５の材質等に基づき決定されるものであり、フープ４及びフィラー５に塑性変形を極力生じることなくガスケット本体２の外輪３への挿入作業を容易なものとする値が適宜選択されている。具体的には、第１の突出部３ｆの突出長さは０．９ｍｍ以下に設定されている。また、上記第２の突出部３ｇの突出長さは、当該第２の突出部３ｇの最小内径がガスケット本体２の最大外径よりも小さくなるように決定されている。これら断面非対称の第１及び第２の突出部３ｆ，３ｇを設けたことにより、外輪３の内周部３ａには、フープ４及びフィラー５に塑性変形を極力生じることなく一側面３ｄ側上方から第１の突出部３ｆを通してガスケット本体２を容易に挿入することができ、かつ第２の突出部３ｇでガスケット本体２を支持できる段差構造が形成される。尚、例えばガスケット本体２が最大外径８８ｍｍのものでは、第１及び第２の突出部３ｆ，３ｇの最小内径は８７．０ｍｍ及び８５．８ｍｍにそれぞれ設定され、第１及び第２の突出部３ｆ，３ｇの突出長さの差は０．６ｍｍに設定される。また、第１の突出部３ｆの突出長さは、第２の突出部３ｇのものに対して４０〜８０％となるようにするのが好ましく、特に好ましくは６０％である。
【００２４】
また、上記外輪３には、例えば図１（ａ）に示す４箇所の円周等配の各位置にカシメ部３ｈが設けられており、当該外輪３は、上記表面変形部３ｃの介在により、図１（ｂ）及び（ｃ）に示す隙間３ｉを形成した状態で、カシメ部３ｈと第２の突出部３ｇとによりガスケット本体２の外周を挟持してこれを保持している。このように、外輪３との間に隙間３ｉを形成した状態でガスケット本体２を保持しているので、渦巻形ガスケット１をフランジ端面間に介装し所定の締付圧で締付けた時に、ガスケット本体２の外周側が径方向外方に移動する外方変形を許容することができ、当該ガスケット本体２の内周側が径方向内方に移動する内方変形を小さくすることができる。
【００２５】
上記カシメ部３ｈは、隙間３ｉ（図１（ｂ）及び（ｃ））が形成されるように、上記の円周等配の各位置で第１の突出部３ｆの部分を径方向内方側にカシメることによって当該部分を塑性変形させたものである。具体的には、例えば図２（ａ）に示すように、尖った先端部３０ａを有するポンチ３０を、外輪３の一側面３ｄと垂直な方向に打ち下ろすことにより、上記第１の突出部３ｆの所定の部分を径方向内方側に突出変形させたカシメ部３ｈと隙間３ｉとを形成している。尚、上記の説明以外に、図２（ｂ）に示すように、上記一側面３ｄに対して、球面状の先端部３１ａを有するポンチ３１を斜めに打ち下ろすことにより、上記カシメ部３ｈと隙間３ｉとを形成してもよい。
また、このカシメ部３ｈの形成工程は、例えばポンチ３０を備えた機械装置によって上記４箇所同時に行われる。また、この機械装置には、外輪３を固定する固定部材が設けられており、チャック部材等でつかんだガスケット本体２を上記一側面３ｄ側から内周部３ａ内に挿入する挿入作業が上記カシメ部３ｈの形成工程の前に行われている。
【００２６】
上記のように構成された本実施形態の渦巻形ガスケット１では、上記第１の突出部３ｆの突出長さを適切に選択することにより、フープ４及びフィラー５に塑性変形を極力生じることなく一側面３ｄ側から内周部３ａ内へのガスケット本体２の挿入作業を容易に行うことができるとともに、カシメ部３ｈを設けて第２の突出部３ｇとによりガスケット本体２を保持しているので、ガスケット本体２の外径に関わらず当該ガスケット本体２の外輪３への取付作業を簡単なものとすることができる。また、このような一連の取付作業を機械装置によって行っているので、上述の従来例と異なり、その取付作業に熟練した作業者を必要とせず、しかもガスケット本体２を木槌などでたたいて変形させたり、大きな力を作用させて歪ませていないので、渦巻形ガスケット１の外観品質の低下を防ぐことができるとともに、ガスケット本体２と外輪３との同心性やシール性を容易に向上することができる。
また、上記隙間３ｉにより、ガスケット本体２の外周側での上記外方変形を許容して、そのガスケット本体２の内周側での上記内方変形を小さくすることができるので、上述の従来例と異なり、内輪を設けることなくガスケット本体２の座屈変形が生じるのを防止することができる。
【００２７】
また、ガスケット本体２における内周側（内側領域Ｉａ）のフィラー５を、外周側（主領域Ｍａ）のフィラー５よりも摩擦係数の大きなフィラー材で形成しているので、当該ガスケット本体２の内周側での装着先のフランジ端面との間に生じる摩擦力を大きなものとして、その内周側での上記変形をさらに抑制することができる。したがって、たとえフランジ端面間において締付圧を大きくした場合でも、上記座屈変形が生じるのを確実に防止することができ、良好なシール性を維持することができる。
さらに、内周側のフィラー５を摩擦係数０．３以上の無機質フィラー材により形成し、外周側のフィラー５を上記無機質フィラー材よりも小さい摩擦係数の膨張黒鉛またはＰＴＦＥにより形成しているので、ガスケット本体２の外周側を上記フランジ端面によくなじんだ状態で変形させることができるとともに、そのガスケット本体２の内周側での上記変形をさらに抑制することができ、上記締付圧を大きくした場合でも、シール性を容易に向上することができる。
【００２８】
尚、上記の説明では、カシメ部３ｈを４箇所に設けた構成について説明したが、本実施形態はこれに限定されるものではなく、複数箇所好ましくは３箇所以上の円周等配の各位置でカシメ部３ｈが第２の突出部３ｇとともにガスケット本体２を保持できるものであればよい。つまり、このカシメ部３ｈの形成数は、ガスケット本体２の外径や重量、フープ４あるいはフィラー５の材質、または装着先のフランジ端面間の締付圧等に応じて適宜変更可能なものである。具体的には、ガスケット本体２の外輪３への挿入作業を容易なものとするために、上記第１の突出部３ｆの最小内径とガスケット本体２の最大外径とが同一寸法に設定されている場合などでは、カシメ部３ｈの形成数を上記の４箇所よりも多くすることでガスケット本体２をより確実に保持することができる。
また、カシメ部３ｈの形成数を適宜決定することにより、ガスケット本体２の内周側での上記内方変形を小さくすることができるので、上記フィラー５の内側領域Ｉａ及び主領域Ｍａが、ともに摩擦係数の小さいフィラー材、例えば膨張黒鉛のみで形成されているガスケット本体２の場合でも、上記内方変形を抑えることができ、上記内輪を設けることなく上記座屈変形が生じるのを防止することができる。尚、カシメ部３ｈの最適な形成数ｎは、例えば上記材質のガスケット本体２の場合、ｎは３以上で下記（２）式を満足する個数であればよい。
Ｄπ／１８０＜ｎ＜Ｄπ／３０    …（２）式
但し、Ｄはガスケット本体２の最外径を示す。
さらに、第２の突出部３ｇの所定部分を補助的にカシメてもよい。これにより、外輪３によるガスケット本体２の保持がより確実なものとなる。
【００２９】
図４は、他の実施形態の渦巻形ガスケットの構成を示す構造図であり、（ａ）はその平面図であり、（ｂ）は（ａ）のＲ−Ｒ線における拡大断面図であり、（ｃ）は（ａ）のＳ−Ｓ線における拡大断面図である。図において、この実施形態と図１に示した実施形態との主な相違点は、外輪３の内周部３ａにおいて、環状の凹部３ｊを第１及び第２の突出部３ｆ，３ｇの間に形成した点である。尚、以下の説明では、上記実施形態のものと同様な部分は、同一の符号を附してその重複した説明を省略する。
すなわち、本実施形態の渦巻形ガスケット１では、図４（ｃ）に示すように、外輪３の内周部３ａにおいて、環状の凹部３ｊがガスケット本体２の外周と溝３ｂの表面との間に形成されている。この凹部３ｊは、第１及び第２の突出部３ｆ，３ｇの間の内周部３ａの部分を、同図（ｃ）に”Ｈ”にて示す所定の間隔寸法で切欠くことによって形成したものであり、ガスケット本体２の外周外方の全周にわたる隙間を形成している。
以上のように、凹部３ｊが、ガスケット本体２の外周外方の全周にわたる隙間を形成しているので、ガスケット本体２の外周側での上記外方変形をさらに許容することができ、よって内周側での上記内方変形をより小さくすることができる。
【００３０】
ここで、上記凹部３ｊの効果を検証するために、本発明の発明者等が実施した試験結果を表１に示す。
この試験では、表１に示すＮｏ．１〜１２の各試験品を板材を介して油圧試験機により押圧し、その押圧した状態を１０分間保持した後、ガスケット本体２の変形状態を視認により確認した。また、上記の各試験品では、内径１７１．４ｍｍ、外径２０９．６ｍｍ、厚さ４．５ｍｍのガスケット本体２を用いた。また、フープ４には、厚さ０．２ｍｍのＳＵＳ３０４を用いた。また、外輪３は厚さ３．２ｍｍ及び外径３１７．５ｍｍのＳＰＣＣを用いたものであり、試験品Ｎｏ．１〜３では第１及び第２の突出部３ｆ，３ｇの最小内径、及び溝３ｂの最大外径がそれぞれ２０８．２ｍｍ、２０７．０ｍｍ、及び２１０．０ｍｍのものを使用した。また、試験品Ｎｏ．４〜６では第１及び第２の突出部３ｆ，３ｇの最小内径、及び溝３ｂの最大外径がそれぞれ２０９．０ｍｍ及び２０７．８ｍｍ、及び２１０．８ｍｍのものを使用し、試験品Ｎｏ．７〜１２では第１及び第２の突出部３ｆ，３ｇの最小内径がそれぞれ２０８．２ｍｍ及び２０７．０ｍｍのものを使用した。また、試験品Ｎｏ．７〜１２では、図４（ｃ）に”Ｈ”にて示した寸法を２．０ｍｍとしたものを用いた。尚、試験品Ｎｏ．１〜６は、図１に示した実施形態に対応した試験品である。また、表２に示すフィラー５の各フィラー材の具体的な摩擦係数は、図３に示した測定装置を用いて算出した値である。
【００３１】
【表１】
0003590777.tif 000002
【００３２】
【表２】
0003590777.tif 000003
【００３３】
表１から明らかなように、凹部３ｊを形成した試験品Ｎｏ．７〜１２は、凹部３ｊを形成していない試験品Ｎｏ．１〜６に比べて、締付圧を大きくした場合でも、カシメ部３ｈの形成数を多くすることなく座屈変形が生じるのを防止することができる。尚、試験品Ｎｏ．３，６，９，１１から明らかなように、フィラー５の内側領域Ｉａに、摩擦係数０．３の無機質フィラー材を用いることにより、締付圧を大きくした場合でも、座屈変形の発生をより効果的に抑えることができる。
【００３４】
尚、上記の説明では、第１及び第２の突出部３ｆ，３ｇを環状に形成した場合について説明したが、本発明はこれに限定されるものではなく、複数箇所で部分的に突出した第１及び第２の突出部を設ける構成でもよい。
また、上記の説明では、内輪を省略した構成について説明したが、本発明はガスケット本体２の外輪３への取付作業を簡単に行えるものであれば何等限定されるものではなく、装着先のフランジ端面間の締付圧等によっては内輪を設けてもよい。
【００３５】
【発明の効果】
以上のように構成された本発明は以下の効果を奏する。
請求項１の渦巻形ガスケットによれば、ガスケット本体の外径に関わらず当該ガスケット本体の外輪への取付作業を簡単なものとすることができるので、渦巻形ガスケットの生産性を向上することができるとともに、例えばガスケット本体と外輪との同心性を容易に確保することができ、その確保した状態でカシメ部によりガスケット本体を確実に保持することができる。したがって、製品品質を向上することができ、しかもコストを削減することができる渦巻形ガスケットを提供することができる。
【００３６】
請求項２の渦巻形ガスケットによれば、ガスケット本体の外周側が径方向外方に移動する外方変形を許容することができ、よってガスケット本体の内周側が径方向内方に移動する内方変形を小さくすることができるので、内輪を設けることなく座屈変形が生じるのを防いでシール性を向上することができる。
【００３７】
請求項３の渦巻形ガスケットによれば、ガスケット本体の外周側での上記外方変形をさらに容易に許容することができ、よって内周側での上記内方変形をより小さくすることができるので、装着先のフランジ端面間において締付圧を大きくした場合でも、上記座屈変形が生じるのを確実に防止することができ、良好なシール性を維持することができる。
【００３８】
請求項４の渦巻形ガスケットによれば、ガスケット本体の内周側でのフランジ端面との間に生じる摩擦力を大きなものとして、その内周側での上記内方変形をさらに抑制することができるので、装着先のフランジ端面間において締付圧を大きくした場合でも、上記座屈変形が生じるのをより確実に防止することができ、良好なシール性をさらに維持することができる。
【００３９】
請求項５の渦巻形ガスケットによれば、ガスケット本体の外周側をフランジ端面によくなじんだ状態で変形させることができるとともに、そのガスケット本体の内周側での上記内方変形をさらに抑制することができるので、上記締付圧を大きくした場合でも、シール性を容易に向上することができる。
【００４０】
請求項６の渦巻形ガスケットによれば、上記カシメ部と補助的にカシメた第２の突出部との間でガスケット本体をより強固に挟持することができるので、外輪によるガスケット本体の保持をより確実なものとすることができる。
【図面の簡単な説明】
【図１】本発明の一実施形態である渦巻形ガスケットの構成を示す構造図であり、（ａ）はその平面図であり、（ｂ）は（ａ）のＰ−Ｐ線における拡大断面図であり、（ｃ）は（ａ）のＱ−Ｑ線における拡大断面図である。
【図２】（ａ）は図１に示したカシメ部の具体的な形成方法を示す説明図であり、（ｂ）は同カシメ部の別の形成方法を示す説明図である。
【図３】摩擦係数の測定方法を示す説明図であって、（ａ）は測定装置の構成を示す概略図であり、（ｂ）は同測定装置による締付荷重の測定結果の一例を示すグラフであり、（ｃ）は同測定装置によるせん断荷重の測定結果の一例を示すグラフである。
【図４】別の実施形態の渦巻形ガスケットの構成を示す構造図であり、（ａ）はその平面図であり、（ｂ）は（ａ）のＲ−Ｒ線における拡大断面図であり、（ｃ）は（ａ）のＳ−Ｓ線における拡大断面図である。
【図５】（ａ）は従来の渦巻形ガスケットの構成を示す平面図であり、（ｂ）は（ａ）のＸ−Ｘ線における断面図である。
【符号の説明】
１  渦巻形ガスケット
２  ガスケット本体
３  外輪
３ａ  内周部
３ｄ  一側面
３ｅ  他側面
３ｆ  第１の突出部
３ｇ  第２の突出部
３ｈ  カシメ部
３ｉ  隙間
３ｊ  凹部
４  フープ
５  フィラー
Ｉａ  内側領域（内周側のフィラー）
Ｍａ  主領域（外周側のフィラー）
【図１】
0003590777.tif 000004
【図２】
0003590777.tif 000005
【図３】
0003590777.tif 000006
【図４】
0003590777.tif 000007
【図５】
0003590777.tif 000008